(57)【特許請求の範囲】
【請求項１】
底部及び背面部を有する支持部であって、前記背面部は前記底部の縁から曲がって延びており、前記底部はポータブル端末のフレームを支え、前記背面部は前記ポータブル端末の背面を支える、支持部と、
前記底部から曲がって延びているプラグであって、前記プラグ及び前記背面部は、前記底部に対して同じ方向に延びており、前記プラグと前記背面部との間には間隔が設けられており、前記プラグは、前記ポータブル端末の前記フレームに設けられたソケットの中に挿入され、これにより、前記プラグ及び前記支持部は共同で前記ポータブル端末を位置決めする、プラグと、
ハンドル及び接続部を有する保持部であって、前記接続部は前記底部に接続されており、前記ハンドルは、前記接続部側であり、かつ前記底部から離れる側にある、保持部と、
ピン接合構造と
を備え、
前記ソケットは、Ｍｉｃｒｏ  ＵＳＢ、ＭＩＮＩ  ＵＳＢ、ＨＤＭＩ（登録商標）インタフェース、又はヘッドセットジャックの共通インタフェースであり、
前記ピン接合構造は、前記接続部を前記底部に回転的に接続し、これにより、前記保持部は、前記支持部に対して回転することで前記支持部に密接に合わさることが可能である、ポータブル端末ホルダ。
【請求項２】
底部及び背面部を有する支持部であって、前記背面部は前記底部の縁から曲がって延びており、前記底部はポータブル端末のフレームを支え、前記背面部は前記ポータブル端末の背面を支える、支持部と、
前記底部から曲がって延びているプラグであって、前記プラグ及び前記背面部は、前記底部に対して同じ方向に延びており、前記プラグと前記背面部との間には間隔が設けられており、前記プラグは、前記ポータブル端末の前記フレームに設けられたソケットの中に挿入され、これにより、前記プラグ及び前記支持部は共同で前記ポータブル端末を位置決めする、プラグと、
ハンドル及び接続部を有する保持部であって、前記接続部は前記底部に接続されており、前記ハンドルは、前記接続部側であり、かつ前記底部から離れる側にある、保持部と、
ピン接合構造と
を備え、
前記ソケットは、Ｍｉｃｒｏ  ＵＳＢ、ＭＩＮＩ  ＵＳＢ、ＨＤＭＩ（登録商標）インタフェース、又はヘッドセットジャックの共通インタフェースであり、
前記ピン接合構造は、前記接続部を前記底部に回転的に接続し、これにより、前記保持部は、前記支持部に対して回転可能であり、前記ピン接合構造は前記保持部を第１位置、第２位置、又は第３位置に位置決めし、前記保持部が前記第１位置に位置決めされたとき、前記ハンドルはユーザによって保持される、又は、前記保持部が前記第２位置に位置決めされたとき、前記ハンドルは、前記ポータブル端末と共にカウンタートップ上でポータブル端末ホルダを支持する、又は、前記保持部が前記第３位置に位置決めされたとき、前記保持部は前記支持部に密接に合わさる、ポータブル端末ホルダ。
【請求項３】
底部及び背面部を有する支持部であって、前記背面部は前記底部の縁から曲がって延びており、前記底部はポータブル端末のフレームを支え、前記背面部は前記ポータブル端末の背面を支える、支持部と、
前記底部から曲がって延びているプラグであって、前記プラグ及び前記背面部は、前記底部に対して同じ方向に延びており、前記プラグと前記背面部との間には間隔が設けられており、前記プラグは、前記ポータブル端末の前記フレームに設けられたソケットの中に挿入され、これにより、前記プラグ及び前記支持部は共同で前記ポータブル端末を位置決めする、プラグと、
ハンドル及び接続部を有する保持部であって、前記接続部は前記底部に接続されており、前記ハンドルは、前記接続部側であり、かつ前記底部から離れる側にある、保持部と、
ピン接合構造と
を備え、
前記ピン接合構造は、前記接続部を前記底部に回転的に接続し、これにより、前記保持部は、前記支持部に対して回転することで前記支持部に密接に合わさることが可能である、ポータブル端末ホルダ。
【請求項４】
前記底部は前記背面部に対して垂直である、請求項１から３の何れか一項に記載のポータブル端末ホルダ。
【請求項５】
前記プラグは前記底部の中央位置に位置している、請求項１から４の何れか一項に記載のポータブル端末ホルダ。
【請求項６】
前記背面部は第１背面及び第２背面を有し、前記第１背面と前記第２背面との間には凹領域が存在し、前記底部上の前記第１背面の突出部と、前記底部上の前記第２背面の突出部とはそれぞれ、前記プラグの両側にある、請求項１から５の何れか一項に記載のポータブル端末ホルダ。
【請求項７】
前記支持部及び前記保持部の両方は金属の板金部品である、請求項１から６の何れか一項に記載のポータブル端末ホルダ。
【請求項８】
前記保持部の前記ハンドルの外側表面の周囲に滑り止め層が巻き付けられている、請求項１から７の何れか一項に記載のポータブル端末ホルダ。
【請求項９】
前記ハンドルは伸縮構造を有している、請求項１から８の何れか一項に記載のポータブル端末ホルダ。
【請求項１０】
前記支持部は更に磁気領域を有しており、前記ポータブル端末ホルダと前記ポータブル端末との固定は、前記磁気領域と前記ポータブル端末との間の磁力によって強化される、請求項１から９の何れか一項に記載のポータブル端末ホルダ。
【請求項１１】
前記磁気領域は磁性材料を含み、前記磁性材料は前記底部又は前記背面部に埋め込まれる、請求項１０に記載のポータブル端末ホルダ。
【発明の詳細な説明】
【技術分野】
【０００１】
本発明は、ホルダ構造に関し、具体的に、ポータブル端末ホルダに関する。
【背景技術】
【０００２】
スマートフォン及びタブレットコンピュータがますます人気を呼んでいる。地下鉄及びバスなどの公共交通機関の乗り物での学習及び娯楽のためにタブレットコンピュータを使用することが流行となってきた。しかしながら、タブレットコンピュータのフレームはより狭くなってきているので、タブレットコンピュータを手で保持する場合、誤操作を生じやすい。地下鉄又はバスが発車及び停止するときはかなり大きな慣性があり、両手でタブレットコンピュータを操作しているとき、手すりをしっかりつかまえておくことができない。これが身体上の安全に対するかなり高い潜在的リスクの原因となる。更に、片手でタブレットコンピュータを保持するのは困難である。
【発明の概要】
【０００３】
本発明の実施形態が、ポータブル端末を片手で保持可能であるという利点を有するポータブル端末ホルダを提供する。
【０００４】
一態様によると、本発明は、支持部、プラグ、及び保持部を含むポータブル端末ホルダを提供する。支持部は、底部及び背面部を有する。背面部は底部の縁から曲がって延びており、底部は、ポータブル端末のフレームを支えるよう構成されており、背面部は、ポータブル端末の背面を支えるよう構成されている。プラグは底部から曲がって延びており、プラグ及び背面部は底部に対して同じ方向に延びており、プラグと背面部との間に間隔が設けられており、プラグは、ポータブル端末のフレームに設けられたソケットの中に挿入されるよう構成されており、これにより、プラグ及び支持部が共同でポータブル端末を位置決めする。保持部はハンドル及び接続部を有し、接続部は底部に接続されており、ハンドルは接続部側であり、かつ底部から離れる側にある。
【０００５】
第１の可能な実施方式において、ポータブル端末ホルダは更にピン接合構造を備える。ピン接合構造は接続部を底部に回転的に接続するよう構成されており、これにより、保持部は支持部に対して回転でき、ピン接合構造は保持部を第１位置、第２位置、又は第３位置に位置決めし、保持部が第１位置に位置決めされた場合、ハンドルはユーザによって保持されるよう構成される、又は保持部が第２位置に位置決めされた場合、ハンドルはポータブル端末と共にカウンタートップ上でポータブル端末ホルダを支持するよう構成される、又は、保持部が第３位置に位置決めされた場合、保持部は支持部に密接に合わさる。
【０００６】
第２の可能な実施方式において、底部は背面部に対して垂直である。
【０００７】
第３の可能な実施方式において、プラグは底部の中央位置に位置している。
【０００８】
第４の可能な実施方式において、背面部は第１背面及び第２背面を含み、第１背面と第２背面との間には凹領域が存在し、底部上の第１背面の突出部と、底部上の第２背面の突出部とは、それぞれプラグの両側にある。
【０００９】
第５の可能な実施方式において、支持部及び保持部の両方は金属の板金部品である。
【００１０】
第５の可能な実施方式を参照して、第６の可能な実施方式において、保持部のハンドルの外側表面の周囲に滑り止め層が巻き付けられている。
【００１１】
第７の可能な実施方式において、ハンドルは伸縮構造を有している。
【００１２】
第８の可能な実施方式において、支持部は更に磁気領域を含み、ポータブル端末ホルダとポータブル端末との固定は、磁気領域とポータブル端末との間の磁力によって強化される。
【００１３】
第８の可能な実施方式を参照して、第９の可能な実施方式において、磁気領域は磁性材料を有しており、磁性材料は、底部又は背面部に埋め込まれている。
【００１４】
従来技術と比較して、本発明において提供されるポータブル端末ホルダは、支持部を使用してポータブル端末を支える。加えて、支持部に接続されたプラグはポータブル端末のソケットに適合して、ポータブル端末とポータブル端末ホルダとの間での安定的な接続及び位置決めが実現される。保持部を使用することで、ユーザが片手でポータブル端末を保持可能であることが実現される。
【図面の簡単な説明】
【００１５】
本発明の実施形態又は従来技術における技術的解決手段を明確に説明すべく、実施形態を説明するために必要な添付の図面を以下で簡潔に説明する。以下の説明における添付の図面は単に本発明の一部の実施形態を示しているに過ぎず、当業者ならば、創造努力なくこれらの添付の図面から他の図面を更に導き出し得ることは明らかである。
【００１６】
【図１】本発明の一実施方式に係るポータブル端末ホルダの三次元概略図である。
【００１７】
【図２】本発明の一実施方式に係る、ポータブル端末ホルダ及びポータブル端末が共に使用されているところの断面図である。
【００１８】
【図３】図２において示されている部分ＩＩＩの拡大概略図である。
【００１９】
【図４】本発明の一実施方式に係る、ポータブル端末ホルダの支持部及びプラグの三次元概略図である。
【００２０】
【図５】本発明の一実施方式に係るポータブル端末ホルダの保持部の三次元概略図である。
【００２１】
【図６】本発明の一実施方式に係る、ポータブル端末ホルダ及びポータブル端末が共に使用され、保持部が第１位置に位置しているところの前面図である。
【００２２】
【図７】本発明の一実施方式に係る、ポータブル端末ホルダ及びポータブル端末が共に使用され、保持部が第１位置に位置しているところの後面図である。
【００２３】
【図８】本発明の一実施方式に係る、ポータブル端末ホルダ及びポータブル端末が共に使用され、保持部が第１位置に位置しているところの底面図である。
【００２４】
【図９】本発明の一実施方式に係る、ポータブル端末ホルダ及びポータブル端末が共に使用され、保持部が第２位置に位置しているところの三次元図である。
【００２５】
【図１０】本発明の一実施方式に係る、ポータブル端末ホルダ及びポータブル端末が共に使用され、保持部が第３位置に位置しているところの三次元図である。
【発明を実施するための形態】
【００２６】
本発明の実施形態における添付の図面を参照して、本発明の実施形態における技術的解決手段を以下で明確かつ完全に説明する。説明されている実施形態は、本発明の実施形態のうちの一部に過ぎず、全てではないことは明らかである。創造努力なく本発明の実施形態に基づいて当業者によって得られた他の全ての実施形態は、本発明の保護範囲に含まれるものとする。
【００２７】
本発明は、ポータブル端末２００（例えばタブレットコンピュータ、又はスマートフォン）と共に使用されるポータブル端末ホルダ１００を提供する。ユーザは片手でポータブル端末ホルダ１００を保持することでポータブル端末２００を操作してよい。図１は、本発明の一実施方式に係るポータブル端末ホルダ１００の三次元概略図であり、図２は、ポータブル端末ホルダ１００及びポータブル端末２００が共に使用されているところの断面図である。図１を参照すると、ポータブル端末ホルダ１００は、支持部１０、プラグ２０、及び保持部３０を備える。支持部１０は底部１２及び背面部１４を有する。背面部１４は底部１２の縁から曲がって延びており、底部１２はポータブル端末２００のフレームを支えるよう構成されており、背面部１４はポータブル端末２００の後部ハウジングを支えるよう構成されている。プラグ２０は底部１２から曲がって延びており、プラグ２０及び背面部１４は底部１２に対して同じ方向に延びており、プラグ２０と背面部１４との間には間隔が設けられており、プラグ２０は、ポータブル端末２００のフレームに設けられたソケット２０２（図２及び図３参照）の中に挿入されるよう構成されており、プラグ２０及び支持部１０は共同でポータブル端末２００を位置決めする。保持部３０はハンドル３２及び接続部３４を有する。接続部３４は底部１２に接続されており、ハンドル３２は接続部３４側であり、かつ底部１２から離れる側にある。
【００２８】
本発明において提供されるポータブル端末ホルダ１００は、支持部１０を使用することでポータブル端末２００を支えている。加えて、支持部１０に接続されたプラグ２０はポータブル端末２００のソケット２０２と適合して、ポータブル端末２００とポータブル端末ホルダ１００との間での安定的な接続及び位置決めを実現し、保持部３０を使用することで、ユーザが片手でポータブル端末２００を保持可能であることが実現され、このことにより、ユーザはより容易に操作できるようになる。
【００２９】
具体的には、ポータブル端末ホルダ１００の支持部１０及びプラグ２０は、板金部品を使用して、せん断加工及び曲げ加工などの複数の技術によって一体化されている。保持部３０及び支持部１０は２ピース構造であり、双方は互いに固定接続され得る、又は互いに着脱可能に取り付けられ得る。ポータブル端末２００のフレーム上のソケット２０２は、Ｍｉｃｒｏ  ＵＳＢ、ＭＩＮＩ  ＵＳＢ、ＨＤＭＩ（登録商標）インタフェース、又はヘッドセットジャックなどの共通インタフェースであってよい。
【００３０】
ポータブル端末ホルダ１００の使用過程において、ポータブル端末２００が充電され得ること、又は、データケーブルがポータブル端末２００の中に挿入され得ることを確実にすべく、ポータブル端末２００のソケット２０２と同じインタフェースがポータブル端末ホルダ１００に加えられてよい。雌型ソケットがポータブル端末ホルダ１００上に配置され、プラグ２０は雄型コネクタとして使用され、プラグ２０は雌型ソケットに電気的に接続される。すなわち、ポータブル端末２００のソケット２０２は導かれ、ポータブル端末ホルダ１００上に配置される。
【００３１】
一実施方式において、ポータブル端末ホルダ１００は更にピン接合構造３００を備える。ピン接合構造３００は、保持部３０と支持部１０との間に接続され、保持部３０の接続部３４を支持部１０の底部１２に回転的に接続するよう構成されており、これにより、保持部３０は支持部１０に対して回転できる。図６から図１０を参照すると、ピン接合構造３００は、保持部３０を第１位置、第２位置、又は第３位置に位置決めする。図６から図８に示されているように、保持部３０が第１位置に位置決めされたとき、ハンドル３２は支持部１０に対して延伸状態にあり、ハンドル３２は、ユーザによって保持されるよう構成される。図９に示されているように、保持部３０が第２位置に位置決めされたとき、ハンドル３２は支持部１０に対して曲がっており、ハンドル３２は、ポータブル端末２００と共にカウンタートップ上でポータブル端末ホルダ１００を支持するよう構成されている。図１０に示されているように、保持部３０が第３位置に位置決めされたとき、保持部３０は、支持部１０に密接に合わさり、保持部３０はわずかなスペースしか占有せず、持ち運びが容易である。
【００３２】
ピン接合構造３００が配置されることにより、本発明のポータブル端末ホルダ１００は、複数の使用状態を有し、ユーザが使用し易い。
【００３３】
具体的には、ピン接合構造３００は位置決め構造を有するシャフト、例えば、ノートブックコンピュータのシャフト構造であってよく、当該シャフトは、保持部３０と支持部１０との間に直接取り付けられる。このタイプのシャフトは共通の構造をしているので、その具体的な構造は詳細に説明されない。あるいは、ピン接合構造３００は、心棒と穴とが適合する簡易な回転構造であってよい。例えば、図４及び図５を参照すると、一対の円筒状心棒３６が保持部３０において突出して配置され、一対の穴１６が支持部１０において配置され、一対の穴１６は保持部３０における心棒３６と適合して双方間での回転を実現する。これにより、位置決め固定ブロックと溝とが適合し、保持部３０が上述の異なる３つの位置に位置決めされてよい。例えば、固定ブロックが心棒３６の周囲に突出して配置され、複数の溝が、穴１６の内壁に配置される。固定ブロックは異なる複数の溝と適合して、ハンドル３２を異なる複数の位置に位置決めする。
【００３４】
保持部３０が第１位置に位置決めされたとき、ハンドル３２と支持部１０の背面部１４との間の挟角は、ほぼ１８０度である。保持部３０が第２位置に位置決めされたとき、ハンドル３２と支持部１０の背面部１４との間の挟角は６０度より大きく、９０度より小さい。
【００３５】
この実施方式において、底部１２は背面部１４に対して垂直であり、支持部１０はポータブル端末２００の底部１２及び背面部１４に完全に合わさり、これにより、ポータブル端末ホルダ１００とポータブル端末２００とは互いにより安定的に接続される。
【００３６】
この実施方式において、プラグ２０は底部１２の中央位置に位置している。これに対応して、ポータブル端末２００のソケット２０２はまた、ポータブル端末２００側の中央位置に位置している。このように、プラグ２０の適合位置とソケット２０２とはポータブル端末２００の中央ライン上にあり、その結果、力受けという点でより良好なバランスを実現する。
【００３７】
この実施方式において、図４に示されているように、支持部１０の背面部１４は第１背面１４２及び第２背面１４４を含み、第１背面１４２と第２背面１４４との間には凹領域１４６が存在し、底部１２上の第１背面１４２の突出部と、底部１２上の第２背面１４４の突出部とはそれぞれ、プラグ２０の両側にある。この場合、第１背面１４２及び第２背面１４４はプラグ２０の両側に対称的に配置され、これにより、ポータブル端末２００のためのポータブル端末ホルダ１００の支持力はバランスがより良好に保たれ、それによって支持安定性が増す。
【００３８】
この実施方式において、支持部１０及び保持部３０の両方は金属の板金部品である。金属の複数の板金部品を使用して打ち抜きにより形成された支持部１０及び保持部３０は、良好な強度及び質感を有する。別の実施方式において、支持部１０及び保持部３０は、塑性セメントを使用して射出成型により形成されてよい。
【００３９】
本発明に対する更なる改善として、保持部３０のハンドル３２の外側表面の周囲に滑り止め層（図面には示されていない）が巻き付けられる。滑り止め層の設計によりユーザの使用感をより良くすることができ、滑り止め層は滑り止め機能を有する。滑り止め層は、ハンドル３２と一体化されたシリカゲル層であってよい、又は、複数の滑り止め縞を有するハンドル３２のカバーであってよい。ハンドル３２は、ハンドル３２のカバーで着脱可能に覆われており、ハンドル３２のカバーは交換可能である。
【００４０】
本発明に対する更なる改善として、ハンドル３２は伸縮構造（図には示されていない）を有する。ドローバーボックスの伸縮棒と同様の構造が使用されてよい。伸縮構造のおかげで、ハンドル３２は、異なる要件（例えば、ユーザの手のひらの異なる寸法）に合わせて異なる寸法に延びることが可能である。
【００４１】
本発明に対する更なる改善として、支持部１０は更に、磁気領域（図には示されていない）を含む。ポータブル端末ホルダ１００とポータブル端末２００との固定は、磁気領域とポータブル端末２００との間の磁力によって強化される。更に、磁気領域は磁性材料を含み、磁性材料は底部１２又は背面部１４に埋め込まれる。
【００４２】
本発明において提供されるポータブル端末ホルダ１００が設計されているとき、ポータブル端末ホルダ１００と共に使用されるポータブル端末２００の具体的な寸法、重量、及び構造が考慮される必要がある。ポータブル端末ホルダ１００の各部分の構造の設計は、ポータブル端末２００と深く関係する。故に、上述のポータブル端末ホルダ１００の支持部１０とプラグ２０と保持部３０との間の角度関係、寸法関係などは具体的に限定されるものではない。具体的な複数の関係は、実際の製品設計の過程において、具体的な製品に応じて設定される必要がある。
【００４３】
本発明の実施形態において提供されるポータブル端末ホルダが詳細に上述されている。本明細書において、本発明の原理及び実施方式を説明すべく特定の例が使用されており、実施形態の説明は、本発明の方法及び核となるアイデアの理解を助けることを意図しているに過ぎない。加えて、当業者ならば、本発明アイデアに基づいて、特定の実施方式及び応用範囲に対して変更を施し得る。故に、本明細書の内容は、本発明に対する限定と解釈されるべきではない。
【図１】
0006541278.tif 000002
【図２】
0006541278.tif 000003
【図３】
0006541278.tif 000004
【図４】
0006541278.tif 000005
【図５】
0006541278.tif 000006
【図６】
0006541278.tif 000007
【図７】
0006541278.tif 000008
【図８】
0006541278.tif 000009
【図９】
0006541278.tif 000010
【図１０】
0006541278.tif 000011